(57)【特許請求の範囲】
【請求項１】
インクカートリッジを装着可能なｎ個のインクスロットを有するインクカートリッジ装着部と、各インクスロットのインクカートリッジの有無を電気的に検出するインクカートリッジ検出回路と、該インクカートリッジ検出回路が出力する直流電圧値から前記インクカートリッジ装着部のインクカートリッジ装着状態を演算するインクカートリッジ装着状態演算部とを備えたインクカートリッジ装着状態検出装置であって、
前記インクカートリッジ検出回路は、所定の直流電圧を第１の分圧抵抗と第２の分圧抵抗との分圧比で分圧して前記インクカートリッジ装着状態演算部へ出力する分圧回路と、前記インクスロットに前記インクカートリッジが装着された状態で、前記インクカートリッジに配設されている短絡用導体によって両端が短絡されるインクスロット毎に配設されたｎ個の検出抵抗を有し、
前記分圧回路は、前記第１の分圧抵抗と前記第２の分圧抵抗との間に直列に接続された前記ｎ個の検出抵抗の合成抵抗値によって分圧比が変化する構成を成しており、前記ｎ個の検出抵抗は、可能な全ての組合せにおける直列合成抵抗値から一義的に前記インクカートリッジ装着状態が判別可能な抵抗比となっている、ことを特徴としたインクカートリッジ装着状態検出装置。
【請求項２】
請求項１において、前記インクカートリッジ検出回路は、前記ｎ個の検出抵抗の直列合成抵抗値に第１の分圧抵抗の抵抗値を加算した抵抗値と、第２の分圧抵抗の抵抗値との分圧比で所定の直流電圧を分圧して前記インクカートリッジ装着状態演算部へ出力する構成を成している、ことを特徴としたインクカートリッジ装着状態検出装置。
【請求項３】
請求項１又は２において、前記ｎ個の検出抵抗の抵抗比は、２ｎ−１：２ｎ−２：…：２ｎ−ｎである、ことを特徴としたインクカートリッジ装着状態検出装置。
【請求項４】
請求項１〜３のいずれか１項において、２つの前記インクカートリッジ検出回路を有している、ことを特徴としたインクカートリッジ装着状態検出装置。
【請求項５】
請求項１〜４のいずれか１項に記載のインクカートリッジ装着状態検出装置を備えたインクジェット式記録装置。
【請求項６】
請求項５において、記録紙にインクを吐出する記録ヘッドを搭載し、主走査方向に往復動可能に軸支されているキャリッジ内に前記インクカートリッジ装着部が構成されている、ことを特徴としたインクジェット式記録装置。
【発明の詳細な説明】
【０００１】
【発明の属する技術分野】
本願発明は、複数のインクカートリッジを装着可能なインクジェット式記録装置のインクカートリッジ装着状態検出装置、及び該インクカートリッジ装着状態検出装置を備えたインクジェット式記録装置に関する。
【０００２】
【従来の技術】
インクジェット式記録装置において、複数のカラーインクが１つのカートリッジに収容されているカラーインクカートリッジは、複数のカラーインクのいずれか１つが切れると、他のインクが残っていても丸ごとカラーインクカートリッジを交換しなければならないので無駄が多い。また、近年のインクジェット式記録装置においては、粒状性のない高画質な写真画質を実現するために、使用するカラーインクの種類が増えつつあり、その傾向はさらに顕著となってきた。そこで、そのようなインクの無駄を解消するために、複数のカラーインクをそれぞれ独立のインクカートリッジに収容し、インク切れした色のインクカートリッジのみ交換できるようになっているインクジェット式記録装置が普及しつつある。
【０００３】
このように、複数のカラーインクが独立したインクカートリッジとなり、インクカートリッジの数が増えると、インクカートリッジの誤装着や装着抜け等が生じる可能性が高くなる。そのため、マンインターフェース機能として、各インクカートリッジの装着状態を出来るだけ詳細にユーザーに伝達する機能が求められるようになる。そこで、従来のインクジェット式記録装置は、未装着のインクカートリッジの有無を検出して、ユーザーに伝達する機能を有していた。図８は、従来のインクジェット式記録装置のインクカートリッジ装着状態検出装置の概略構成を示した回路図である。
【０００４】
インクカートリッジＩ／Ｃ１〜インクカートリッジＩ／Ｃ４は、それぞれショートピンＳ１〜ショートピンＳ４を有している。各インクカートリッジが所定のインクスロットに装着された状態で、電源電圧Ｖｃｃが抵抗Ｒ１を介してＧＮＤに短絡されて、Ｉ／Ｏポートの電圧が０Ｖになる。インクカートリッジＩ／Ｃ１〜インクカートリッジＩ／Ｃ４の中で、いずれか１つ以上のインクカートリッジが未装着状態になると、Ｉ／Ｏポートの電圧は、電源電圧Ｖｃｃの電圧になる。Ｉ／Ｏポートは、インクジェット式記録装置５０を制御する記録制御部のデジタル入力ポートである。
【０００５】
したがって、Ｉ／Ｏポートは、インクカートリッジＩ／Ｃ１〜インクカートリッジＩ／Ｃ４の全てが装着された状態で０Ｖ（ローレベル）となり、いずれか１つ以上のインクカートリッジが未装着状態になるとＶｃｃ電圧（ハイレベル）となる。そして、記録制御部は、そのＩ／Ｏポートの電圧レベルがローレベルかハイレベルかを検出してインクカートリッジＩ／Ｃ１〜インクカートリッジＩ／Ｃ４が全て装着されているか否かを判定する。
【０００６】
【発明が解決しようとする課題】
しかしながら、このように、インクカートリッジの全てが装着されているか否かが分かるだけでは、どの色のインクカートリッジが未装着なのかが分からない。そのため、ユーザーは、インクカートリッジの未装着状態が検出された際に、どの色のインクカートリッジが未装着なのかインクジェット式記録装置のインクカートリッジ装着状態をいちいち目で確認しなければならず不便であった。また、各インクカートリッジの装着状態を上記の回路で検出しようとすると、装着するインクカートリッジの数だけデジタル入力ポートが必要となるので、それによって、インクカートリッジ装着状態検出装置のコストが大幅に増加してしまうことになり現実的とは言えない。
【０００７】
本願発明は、このような状況に鑑み成されたものであり、その課題は、各インクカートリッジの装着状態を個別に検出可能なインクカートリッジ装着状態検出装置を低コストで実現することにある。
【０００８】
【課題を解決するための手段】
上記課題を達成するため、本願請求項１に記載の発明は、インクカートリッジを装着可能なｎ個のインクスロットを有するインクカートリッジ装着部と、各インクスロットのインクカートリッジの有無を電気的に検出するインクカートリッジ検出回路と、該インクカートリッジ検出回路が出力する直流電圧値から前記インクカートリッジ装着部のインクカートリッジ装着状態を演算するインクカートリッジ装着状態演算部とを備えたインクカートリッジ装着状態検出装置であって、前記インクカートリッジ検出回路は、所定の直流電圧を第１の分圧抵抗と第２の分圧抵抗との分圧比で分圧して前記インクカートリッジ装着状態演算部へ出力する分圧回路と、前記インクスロットに前記インクカートリッジが装着された状態で、前記インクカートリッジに配設されている短絡用導体によって両端が短絡されるインクスロット毎に配設されたｎ個の検出抵抗を有し、前記分圧回路は、前記第１の分圧抵抗と前記第２の分圧抵抗との間に直列に接続された前記ｎ個の検出抵抗の合成抵抗値によって分圧比が変化する構成を成しており、前記ｎ個の検出抵抗は、可能な全ての組合せにおける直列合成抵抗値から一義的に前記インクカートリッジ装着状態が判別可能な抵抗比となっている、ことを特徴としたインクカートリッジ装着状態検出装置である。
【０００９】
分圧回路は、第１の分圧抵抗と第２の分圧抵抗と間にｎ個の検出抵抗が直列に接続されているので、第１の分圧抵抗と第２の分圧抵抗とに加えてｎ個の検出抵抗の合成抵抗値で分圧比が決まる。つまり、インクカートリッジが未装着のインクスロットに配設されている検出抵抗の合成抵抗値が第１の分圧抵抗、或いは、第２の分圧抵抗に加算されて分圧比が決まる。また、ｎ個の検出抵抗は、可能な全ての組合せにおける直列合成抵抗値から一義的にインクカートリッジ装着状態が判別可能な抵抗比となっている。つまり、検出抵抗の直列合成抵抗値からインクカートリッジの個々の装着状態を判別することができる。
【００１０】
したがって、インクカートリッジ装着部のインクカートリッジ装着状態を演算するインクカートリッジ装着状態演算部において、インクカートリッジ装着状態演算部へ出力される分圧回路の直流電圧の電圧値からインクカートリッジの個々の装着状態を判別することができる。
【００１１】
これにより、本願請求項１に記載の発明に係るインクカートリッジ装着状態検出装置によれば、インクカートリッジ装着状態演算部へ出力される分圧回路の直流電圧の電圧値からインクカートリッジの個々の装着状態を判別することができるので、各インクカートリッジの装着状態を個別に検出することができるという作用効果が得られる。
【００１２】
また、各インクカートリッジの装着状態情報を各検出抵抗の合成抵抗によって直流電圧に変換し、その電圧値から各インクカートリッジの装着状態を個々に判別することができるので、従来技術におけるインクカートリッジ装着状態検出装置と比較して、各インクスロットに検出抵抗を追加し、記録制御部の入力ポートをデジタル入力ポートからＡ／Ｄ入力ポートに変更するだけで本願発明を実施することができる。したがって、従来技術と比較してわずかな追加変更で各インクカートリッジの装着状態を個別に検出することができるので、各インクカートリッジの装着状態を個別に検出可能なインクカートリッジ装着状態検出装置を低コストで実現することができるという作用効果が得られる。
【００１３】
本願請求項２に記載の発明は、請求項１において、前記インクカートリッジ検出回路は、前記ｎ個の検出抵抗の直列合成抵抗値に第１の分圧抵抗の抵抗値を加算した抵抗値と、第２の分圧抵抗の抵抗値との分圧比で所定の直流電圧を分圧して前記インクカートリッジ装着状態演算部へ出力する構成を成している、ことを特徴としたインクカートリッジ装着状態検出装置である。
【００１４】
このように、ｎ個の検出抵抗の直列合成抵抗値に第１の分圧抵抗の抵抗値を加算した抵抗値と、第２の分圧抵抗の抵抗値との分圧比で所定の直流電圧を分圧してインクカートリッジ装着状態演算部へ出力するので、分圧回路の直流出力電圧が未装着のインクカートリッジの個数及び位置に応じて、段階的に増減するように構成することが可能になる。
【００１５】
これにより、本願請求項２に記載の発明に係るインクカートリッジ装着状態検出装置によれば、本願請求項１に記載の発明による作用効果に加えて、分圧回路の直流出力電圧が未装着のインクカートリッジの個数及び位置に応じて、段階的に増減するように構成することができるので、分圧回路の直流出力電圧値と各インクカートリッジの個々の装着状態との関連付けが容易になるという作用効果が得られる。
【００１６】
本願請求項３に記載の発明は、請求項１又は２において、前記ｎ個の検出抵抗の抵抗比は、２ｎ−１：２ｎ−２：…：２ｎ−ｎである、ことを特徴としたインクカートリッジ装着状態検出装置である。
【００１７】
このように、ｎ個の検出抵抗の抵抗比は、２ｎ−１：２ｎ−２：…：２ｎ−ｎとなっているので、例えば、４個のインクカートリッジを装着するインクカートリッジ装着部を有するインクジェット式記録装置において、４個の検出抵抗の抵抗比は、２３：２２：２１：２０＝８：４：２：１となる。したがって、４個の検出抵抗の直列合成抵抗値は、全ての検出抵抗の組合せにおいて同じ抵抗値になることがなく、その直列合成抵抗値によって、各インクカートリッジの個々の装着状態が一義的に決まることになる。さらに、その抵抗比によって、分圧回路が出力する直流電圧値は、略等間隔の電圧差で段階的に増減していくので、誤検出の虞を少なくすることができる。
【００１８】
これにより、本願請求項３に記載の発明に係るインクカートリッジ装着状態検出装置によれば、本願請求項１又は２に記載の発明による作用効果に加えて、その抵抗比によって、分圧回路が出力する直流電圧値を略等間隔の電圧差で段階的に増減させることができ、それによって、誤検出の虞を少なくすることができるので、より正確に各インクカートリッジの個々の装着状態を検出することができるという作用効果が得られる。
【００１９】
本願請求項４に記載の発明は、請求項１〜３のいずれか１項において、２つの前記インクカートリッジ検出回路を有している、ことを特徴としたインクカートリッジ装着状態検出装置である。
【００２０】
インクカートリッジ装着部に装着するインクカートリッジの個数が多くなると、各インクカートリッジの装着状態の組合せ数が多数になるので、各インクカートリッジの装着状態の組合せによって増減する分圧回路の直流電圧値の電圧差が必然的に小さくなってしまう。そのため、その電圧差がインクカートリッジ装着状態演算部で検出できない程小さな電圧差になってしまったり、ノイズ等によって誤検出しやすい電圧差になってしまったりする虞がある。そこで、ｎ個のインクカートリッジを２つのグループに分けて、２つのインクカートリッジ検出回路で、それぞれのグループのインクカートリッジ装着状態を個々に検出することによって、分圧回路の直流電圧値の電圧差が小さくなり過ぎてしまうことを防止することができる。
【００２１】
これにより、本願請求項４に記載の発明に係るインクカートリッジ装着状態検出装置によれば、本願請求項１〜３のいずれか１項に記載の発明による作用効果に加えて、多数のインクカートリッジを装着するインクカートリッジ装着部を有するインクジェット式記録装置においても、分圧回路の直流電圧値の電圧差が小さくなり過ぎてしまうことを防止し、確実に各インクカートリッジの装着状態を個々に検出することができるという作用効果が得られる。
【００２２】
本願請求項５に記載の発明は、請求項１〜４のいずれか１項に記載のインクカートリッジ装着状態検出装置を備えたインクジェット式記録装置である。
本願請求項５に記載の発明に係るインクジェット式記録装置によれば、インクジェット式記録装置において、前述した本願請求項１〜４のいずれか１項に記載の発明による作用効果を得ることができる。
【００２３】
本願請求項６に記載の発明は、請求項５において、記録紙にインクを吐出する記録ヘッドを搭載し、主走査方向に往復動可能に軸支されているキャリッジ内に前記インクカートリッジ装着部が構成されている、ことを特徴としたインクジェット式記録装置である。
【００２４】
本願請求項６に記載の発明に係るインクジェット式記録装置によれば、主走査方向に往復動可能に軸支されているキャリッジ内にインクカートリッジ装着部が構成されているインクジェット式記録装置において、前述した本願請求項５に記載の発明による作用効果を得ることができる。
【００２５】
【発明の実施の形態】
以下、本願発明の一実施の形態を図面に基づいて説明する。
図１は、本願発明に係る「インクジェット式記録装置」を示した概略の平面図である。
【００２６】
インクジェット式記録装置５０には、普通紙等の記録紙に記録を実行する記録手段として、主走査方向Ｘに移動するキャリッジ１が設けられている。キャリッジ１は、軸受部１１において、主走査方向Ｘに往復動可能な如くキャリッジガイド軸２に軸支されている。キャリッジ１には、記録紙にインクを吐出する記録ヘッド（図示せず）が搭載されている。そして、給紙トレイ３から自動給紙された記録紙は、キャリッジ１を符号Ｘで示した方向に往復動させる動作と、記録紙を所定の搬送量で搬送する動作を交互に繰り返しながら、記録ヘッドから記録紙にインクを吐出することで記録紙に記録が行われ、記録紙は、排紙トレイ４へ排出される。
【００２７】
また、インクジェット式記録装置５０の本体には、図示の如く、開口部５が形成されている。開口部の一部は、図示の如く広く開口してインクカートリッジ交換用開口部６を形成しており、キャリッジ１がこのインクカートリッジ交換用開口部６に停止している状態でインク切れしたインクカートリッジ３１を交換する作業を行うことができる構成となっている。
【００２８】
図２は、インク交換ポジションに位置しているキャリッジ１の近傍を拡大して示した斜視図である。
【００２９】
インク交換ポジションに位置しているキャリッジ１は、図示の如く、インクカートリッジ交換用開口部６に位置しており、キャリッジ１の上面がインクカートリッジ交換用開口部６に露出した状態となっている。キャリッジ１には、上蓋１２が支持部１３を回動の軸として上方に開閉する如く配設されている。上蓋１２には、キャリッジ１に格納されているインクカートリッジ３１毎に孔１２１が形成されている。この孔１２１によって、キャリッジ１に格納されているインクカートリッジ３１、及びインクカートリッジ３１に付されているインク色を示した色ラベル３２を、上蓋１２を閉じた状態のままで確認することができるようになっている。
【００３０】
図３は、インクカートリッジ３１が格納されるキャリッジ１の内部を、さらに拡大して示した斜視図である。
【００３１】
インクカートリッジ３１は、キャリッジ１のインクカートリッジ装着部１４に格納されており、当該実施の形態においては、７個のインクカートリッジ３１が装着される。インクカートリッジ３１には、それぞれ個々に充填されているインク色を示す色ラベル３２が付されている。また、インクカートリッジ３１は、爪部３３を図示の如く、その両端に有しており、この爪部３３がインクカートリッジ装着部１４にインクカートリッジ３１毎に形成されているインクスロット１５に係合して両端部を固定された状態でインクカートリッジ装着部１４に格納される。そして、インクカートリッジ３１のインク流出口３４から、インクカートリッジ装着部１４の底部にインクカートリッジ３１毎に形成されているインクたまり１６に、インクカートリッジ３１に充填されているインクが流れ出る。尚、インクたまり１６の略中央に形成されている突起部１７は、新品のインクカートリッジ３１のインク流出口３４に形成されている蓋を突き破るためのものである。
【００３２】
図４は、本願発明に係る「インクカートリッジ検出回路」の概略構成を示した回路図である。
【００３３】
前述したように、インクジェット式記録装置５０のインクカートリッジ装着部１４は、７個のインクカートリッジ３１（インクカートリッジ３１１〜インクカートリッジ３１７）が装着できるように７個のインクスロット１５が構成されている。「インクカートリッジ検出回路」は、各インクスロット１５に対応する検出抵抗Ｒ１〜Ｒ７を有している。検出抵抗Ｒ１は、インクカートリッジ３１１（Ｉ／Ｃ１）がインクカートリッジ装着部１４に装着された状態でインクカートリッジ３１１のショートピン（短絡用導体）Ｓ１によって短絡され、同様に検出抵抗Ｒ２〜Ｒ７は、インクカートリッジ３１２（Ｉ／Ｃ２）〜インクカートリッジ３１７（Ｉ／Ｃ７）がインクカートリッジ装着部１４に装着された状態で、それぞれショートピンＳ２〜Ｓ７にて短絡される。
【００３４】
当該実施の形態における「インクカートリッジ装着状態検出装置」は、２つの「インクカートリッジ検出回路」を備えている。それぞれ、第１のインクカートリッジ検出回路、第２のインクカートリッジ検出回路とすると、第１のインクカートリッジ検出回路は、第１の分圧抵抗ｒ２と、第２の分圧抵抗ｒ１と、直列に接続された検出抵抗Ｒ１〜Ｒ４とで「分圧回路」を構成している。第２のインクカートリッジ検出回路は、第１の分圧抵抗ｒ１２と、第２の分圧抵抗ｒ１１と、直列に接続された検出抵抗Ｒ５〜Ｒ７とで「分圧回路」を構成している。第１のインクカートリッジ検出回路の出力電圧は、インクジェット式記録装置５０の記録実行制御を行う記録制御部（図示せず）のＡ／Ｄポート１へ出力され、第２のインクカートリッジ検出回路の出力電圧は、Ａ／Ｄポート２へ出力される。記録制御部は、第１のインクカートリッジ検出回路及び第２のインクカートリッジ検出回路が出力する直流電圧値を、Ａ／Ｄポート１及びＡ／Ｄポート２から入力し、その直流電圧値からインクカートリッジ装着部１４のインクカートリッジ装着状態を演算する「インクカートリッジ装着状態演算部」を有している。
【００３５】
７個のインクカートリッジの組合せは、１２８通りあるので、それを１つのＡ／Ｄポートで検出しようとすると、各インクカートリッジの装着状態の組合せによって変化する分圧回路の直流電圧値の電圧差が小さくなり過ぎて誤検出等の虞が生じる。そこで、２つのインクカートリッジ検出回路を設け、第１のインクカートリッジ検出回路で４個のインクカートリッジの装着状態（１６通り）を検出し、第２のインクカートリッジ検出回路で残り３個のインクカートリッジの装着状態（８通り）を検出する。それによって、誤検出の虞の少ないインクカートリッジの装着状態の検出が可能になる。
【００３６】
第１の分圧抵抗ｒ２と第２の分圧抵抗ｒ１とは、２：２１０の抵抗比となる抵抗値となっている。検出抵抗Ｒ１〜Ｒ４の抵抗比は、第１の分圧抵抗ｒ２及び第２の分圧抵抗ｒ１に対して、２０：２１：２２：２３＝１：２：４：８となっている。また、同様に第１の分圧抵抗ｒ１２と第２の分圧抵抗ｒ１１とは、２：２１０の抵抗比となっており、検出抵抗Ｒ５〜Ｒ７の抵抗比は、２０：２１：２２＝１：２：４となっている。そして、当該実施の形態において電源電圧Ｖｃｃは、ＤＣ４２Ｖである。
【００３７】
図５は、インクカートリッジＩ／Ｃ１〜Ｉ／Ｃ４の個々の装着状態に対する第１のインクカートリッジ検出回路の出力電圧を示した表であり、図６は、インクカートリッジＩ／Ｃ５〜Ｉ／Ｃ７の個々の装着状態に対する第２のインクカートリッジ検出回路の出力電圧を示した表である。
【００３８】
未装着Ｉ／Ｃは、インクカートリッジＩ／Ｃ１〜Ｉ／Ｃ４（図６においては、インクカートリッジＩ／Ｃ５〜Ｉ／Ｃ７）の中で未装着となっているインクカートリッジの組合せをインクカートリッジの番号で示してある。合成抵抗比は、未装着となっているインクカートリッジの組合せに対する第１の分圧抵抗ｒ２及び検出抵抗Ｒ１〜Ｒ４（図６においては、第１の分圧抵抗ｒ１２及び検出抵抗Ｒ５〜Ｒ７）の合成抵抗と、第２の分圧抵抗ｒ１（図６においては、第２の分圧抵抗ｒ１１）との抵抗比（分圧比）が示してある。そして、それぞれの合成抵抗比で電源電圧Ｖｃｃ（ＤＣ４２Ｖ）を分圧した出力電圧が、それぞれＡ／Ｄポート１への出力電圧（図６においては、Ａ／Ｄポート２への出力電圧）となる。
【００３９】
例えば、図５に示した第１のインクカートリッジ検出回路において、未装着インクカートリッジがない状態、つまり全てのインクカートリッジが装着されている場合には（図６の表の１行目）、検出抵抗Ｒ１〜Ｒ４は、ショートピンＳ１〜Ｓ４によって全てショートされているので、電源電圧Ｖｃｃは、第２の分圧抵抗ｒ１と第１の分圧抵抗ｒ２との抵抗比、つまり、２１０：２の分圧比で分圧され、Ａ／Ｄポート１への出力電圧は、４２Ｖ×２／（２１０＋２）＝０．３９６Ｖとなる。
【００４０】
また、インクカートリッジＩ／Ｃ１が未装着の場合には（図６の表の２行目）、検出抵抗Ｒ２〜Ｒ４は、ショートピンＳ２〜Ｓ４によってショートされているので、電源電圧Ｖｃｃは、第２の分圧抵抗ｒ１と、第１の分圧抵抗ｒ２に検出抵抗Ｒ１を加えた抵抗（２＋１）との抵抗比、つまり、２１０：３の分圧比で分圧され、Ａ／Ｄポート１への出力電圧は、４２Ｖ×３／（２１０＋３）＝０．５９２Ｖとなる。
【００４１】
さらに、インクカートリッジＩ／Ｃ１とＩ／Ｃ２が未装着の場合には（図６の表の４行目）、検出抵抗Ｒ３、Ｒ４は、ショートピンＳ３、Ｓ４によってショートされているので、電源電圧Ｖｃｃは、第２の分圧抵抗ｒ１と、第１の分圧抵抗ｒ２に検出抵抗Ｒ１とＲ２を加えた抵抗（２＋１＋２）との抵抗比、つまり、２１０：５の分圧比で分圧され、Ａ／Ｄポート１への出力電圧は、４２Ｖ×５／（２１０＋５）＝０．９７７Ｖとなる。
【００４２】
このようにして、未装着のインクカートリッジの各組合せに対するＡ／Ｄポート１及びＡ／Ｄポート２への出力電圧が決まり、第１のインクカートリッジ検出回路及び第２のインクカートリッジ検出回路は、検出抵抗比が２ｎ−１：２ｎ−２：…：２ｎ−ｎとなるように構成されているので、未装着のインクカートリッジの各組合せに対する合成抵抗比は、その各組合せに対して一義的な抵抗比となる。したがって、未装着のインクカートリッジの各組合せに対するＡ／Ｄポート１及びＡ／Ｄポート２への出力電圧は、その各組合せに対して一義的な電圧値となる。
【００４３】
また、未装着のインクカートリッジの各組合せに対するＡ／Ｄポート１及びＡ／Ｄポート２への出力電圧は、検出抵抗比が２ｎ−１：２ｎ−２：…：２ｎ−ｎとなるように構成されているので、略等間隔の電圧差となる。したがって、この電圧差がＡ／Ｄポート１及びＡ／Ｄポート２の入力特性に対して十分な電圧差となるように、第１の分圧抵抗ｒ２及び第２の分圧抵抗ｒ１、並びに各検出抵抗Ｒ１〜Ｒ４（図６においては、第１の分圧抵抗ｒ１２及び第２の分圧抵抗ｒ１１、並びに各検出抵抗Ｒ５〜Ｒ７）の抵抗比を設定することによって、各インクカートリッジの装着状態を個々に検出可能で、かつ誤検出の虞が少ない「インクカートリッジ検出回路」を構成することができる。尚、当該実施の形態においては、各インクカートリッジの装着状態に対する出力電圧の差は、約０．１７Ｖ〜０．２Ｖとなっており、Ａ／Ｄポートの最小検出電圧差０．００３Ｖに対して十分なマージンがあるので、ノイズ等による誤検出が生じる虞がほとんどない。
【００４４】
さらに、インクカートリッジ３１及びキャリッジ１は、従来のものをそのまま使用することができ、「インクカートリッジ検出回路」に抵抗Ｒ１〜Ｒ７を追加し、入力ポートをデジタルＩ／ＯポートからＡ／Ｄポートに変更するだけなので、わずかな追加変更で、各インクカートリッジの装着状態を個々に検出することができる。
【００４５】
他の実施の形態としては、インクカートリッジ装着部１４に装着するインクカートリッジの個数が４個のインクジェット式記録装置５０が挙げられる。図７は、本願発明に係る「インクカートリッジ検出回路」の他の実施の形態における概略構成を示した回路図である。当該実施の形態においては、インクカートリッジの装着状態の組合せは、１６通りなので、１つの「インクカートリッジ検出回路」で十分な電圧差で１６通りのインクカートリッジの装着状態を検出することができ、インクカートリッジの個々の装着状態に対するインクカートリッジ検出回路の出力電圧は、図５に示した表と同様になる。
【００４６】
さらに、他の実施の形態としては、キャリッジ１と別の場所にインクカートリッジ装着部１４が構成されているインクジェット式記録装置５０が挙げられ、そのような態様においても本願発明の実施は可能であり、本願発明による作用効果を得ることができる。
【００４７】
尚、本願発明は上記実施例に限定されることなく、特許請求の範囲に記載した発明の範囲内で、種々の変形が可能であり、それらも本願発明の範囲内に含まれるものであることは言うまでもない。
【００４８】
【発明の効果】
本願発明によれば、各インクカートリッジの装着状態を個別に検出可能なインクカートリッジ装着状態検出装置を低コストで実現することができる。
【図面の簡単な説明】
【図１】本願発明に係る「インクジェット式記録装置」を示した概略の平面図である。
【図２】インク交換ポジションに位置しているキャリッジの近傍を拡大して示した斜視図である。
【図３】インクカートリッジが格納されるキャリッジの内部を、さらに拡大して示した斜視図である。
【図４】本願発明に係る「インクカートリッジ検出回路」の概略構成を示した回路図である。
【図５】インクカートリッジ個々の装着状態に対する第１のインクカートリッジ検出回路の出力電圧を示した表である。
【図６】インクカートリッジ個々の装着状態に対する第２のインクカートリッジ検出回路の出力電圧を示した表である。
【図７】本願発明に係る「インクカートリッジ検出回路」の他の実施の形態における概略構成を示した回路図である。
【図８】従来技術における「インクカートリッジ装着状態検出装置」の概略を示した回路図である。
【符号の説明】
１    キャリッジ
２    キャリッジガイド軸
３    給紙トレイ
４    排紙トレイ
５    開口部
６    インクカートリッジ交換用開口部
１１  軸受部
１２  上蓋
１２１  孔
１３  支持部
１４  インクカートリッジ装着部
１５  インクスロット
１６  インクたまり
１７  突起部
３１、３１１〜３１７、Ｉ／Ｃ１〜Ｉ／Ｃ７  インクカートリッジ
３２  色ラベル
３３  爪部
５０  インクジェット式記録装置
ｒ２、ｒ１２  第１の分圧抵抗
ｒ１、ｒ１１  第２の分圧抵抗
Ｒ１〜Ｒ７  検出抵抗
Ｓ１〜Ｓ７  ショートピン
【図１】
0003912501.tif 000002
【図２】
0003912501.tif 000003
【図３】
0003912501.tif 000004
【図４】
0003912501.tif 000005
【図５】
0003912501.tif 000006
【図６】
0003912501.tif 000007
【図７】
0003912501.tif 000008
【図８】
0003912501.tif 000009